(57)【要約】【課題】遠心ファンの回転軸方向への吸気の流れを良くして、ファンケーシングへ流入する空気の流入量を適性化し、熱交換効率を向上した空気調和機を提供する。【解決手段】仕切板８の送風口１０に、送風機室４ｂ側に向かって膨出部１０ａを形成し、同膨出部１０ａの前端縁にはフランジ部１０ｂを設け、同フランジ部１０ｂとファンケーシング２ａの吹出孔２ｃ前端縁に設けられたフランジ部２ｄとをネジ１２で螺着している。前記仕切板８の送風口１０に膨出部１０ａを形成したことにより、前記ファンケーシング２ａと前記仕切板８との間に空気通路を形成している。【選択図】  図１
2004340495.tif 000002
【特許請求の範囲】
【請求項１】
筐体の内部を、送風口を備えた仕切板により熱交換器室と送風機室とに区画し、同送風機室に、前記仕切板の送風口に吹出側を連通し内部にファンモータにより駆動する遠心ファンを収容したファンケーシングを配設し、前記熱交換器室に、熱交換器を配設するとともに、吹出口を前記熱交換器室の前記仕切板と対向する面に備え、吸込口を前記送風機室の前記仕切板と直交する面に備えてなる空気調和機において、
前記仕切板の送風口を、前記送風機室側に向けて膨出し、前記ファンケーシングと前記仕切板との間に空気通路を形成してなることを特徴とする空気調和機。
【請求項２】
前記仕切板の送風口を拡大してなることを特徴とする請求項１記載の空気調和機。
【発明の詳細な説明】
【０００１】
【発明の属する技術分野】
本発明は空気調和機に係り、詳しくは遠心ファンを収容したファンケーシングへの空気流入構造に関する。
【０００２】
【従来の技術】
図３は、従来の空気調和機の一例を示す断面図（Ａ）および概略上面図（Ｂ）であり、図４は、従来の空気調和機の仕切板の斜視図である。
以下図面を参照しながら、従来の空気調和機について説明する。
【０００３】
図において１は空気調和機本体、１１はファンモータ、２は遠心ファン、３は熱交換器、４は筐体である。
【０００４】
８は複数の送風口１０を備えた仕切板であり、前記筐体４の内部を熱交換器室４ａと送風機室４ｂとに区画し、同送風機室４ｂに、前記仕切板８の送風口１０に吹出側を連通し内部に前記ファンモータ１１により駆動する遠心ファン２を収容した複数のファンケーシング２ａを設け、前記熱交換器室４ａに、気流方向に対し後傾させ前記熱交換器３を配設する。（例えば、特許文献１参照）
【０００５】
吹出口９を前記筐体４の前面である前記熱交換器室４ａの前記仕切板８と対向する面に備え、吸込口７を前記送風機室４ｂの前記仕切板８と直交する一側面に備えている。５はフイルタであり、前記吸込口７に備えられる。６は吸気ダクトであり、前記筐体４の前記送風機室４ｂの一側面に設けられた前記吸込口７に連通している。
【０００６】
ところで、前記ファンケーシング２ａは、その吸込孔２ｂが前記遠心ファン２の回転軸の方向に設けられ、吹出孔２ｃを前記仕切板８の送風口１０と連通させている。また、平坦状に形成された前記仕切板８の送風口１０は、前記吹出孔２ｃの前端縁に設けたフランジ部２ｄとネジで螺着し固定していた。
【０００７】
しかしながら、前記吸気ダクト６が、前記筐体４の前記送風機室４ｂの側面に設けられた前記吸込口７に連通している空気調和機においては、前記吸気ダクト６の反対側になるほど、同吸気ダクト６から順次遠くなり、吸気した空気量が少なく吸気効率が悪くなるため、反吸気ダクト６側の前記ファンケーシング２ａへの吸気量が不足し、反吸気ダクト６側の前記遠心ファン２からの十分な風量が得られない恐れがある問題を有していた。
【０００８】
【特許文献１】
特開平１１−１４１９０９号公報（第２ー３頁、第１図）
【０００９】
【発明が解決しようとする課題】
本発明においては、上記の問題点に鑑み、遠心ファンの回転軸方向への吸気の流れを良くして、ファンケーシングへ流入する空気の流入量を適性化し、熱交換効率を向上した空気調和機を提供することを目的としている。
【００１０】
【課題を解決するための手段】
本発明は、上記問題点を解決するため、筐体の内部を、送風口を備えた仕切板により熱交換器室と送風機室とに区画し、同送風機室に、前記仕切板の送風口に吹出側を連通し内部にファンモータにより駆動する遠心ファンを収容したファンケーシングを配設し、前記熱交換器室に、熱交換器を配設するとともに、吹出口を前記熱交換器室の前記仕切板と対向する面に備え、吸込口を前記送風機室の前記仕切板と直交する面に備えてなる空気調和機において、
前記仕切板の送風口を、前記送風機室側に向けて膨出し、前記ファンケーシングと前記仕切板との間に空気通路を形成した構成となっている。
【００１１】
前記仕切板の送風口を拡大した構成となっている。
【００１２】
【発明の実施の形態】
図１は、本発明の空気調和機の一実施例を示す断面図（Ａ）および概略上面図（Ｂ）であり、図２は、本発明の空気調和機の仕切板を示す斜視図である。
以下、図面に基づいて本発明による空気調和機の実施例を詳細に説明する。
なお、従来と同じ部分の符号は同一とする。
【００１３】
図において１は空気調和機本体、１１はファンモータ、２は遠心ファン、３は熱交換器、４は筐体である。
８は複数の送風口１０を備えた仕切板であり、前記筐体４の内部を熱交換器室４ａと送風機室４ｂとに区画する。
【００１４】
そして、前記送風機室４ｂに、前記仕切板８の送風口１０に吹出側を連通し内部に前記ファンモータ１１により駆動する遠心ファン２を収容した複数のファンケーシング２ａを設け、前記熱交換器室４ａに、気流方向に対し後傾させ前記熱交換器３を配設する。
【００１５】
吹出口９を前記筐体４の前面である前記熱交換器室４ａの前記仕切板８と対向する面に備え、吸込口７を前記送風機室４ｂの前記仕切板８と直交する一側面に備えている。５はフイルタであり、前記吸込口７に備えられる。６は吸気ダクトであり、前記筐体４の前記送風機室４ｂの一側面に設けられた前記吸込口７に連通している。
【００１６】
また、前記ファンケーシング２ａは、その吸込孔２ｂが前記遠心ファン２の回転軸の方向に設けられ、吹出孔２ｃを前記仕切板８の送風口１０と連通させている。これらにより、空気調和機本体１を構成している。
【００１７】
本発明は、図２で示すように、前記仕切板８の送風口１０に、前記送風機室４ｂ側に向けて膨出部１０ａを形成し、同膨出部１０ａの前端縁にはフランジ部１０ｂを設け、同フランジ部１０ｂと前記ファンケーシング２ａの吹出孔２ｃ前端縁に設けられたフランジ部２ｄとをネジ１２で螺着している。前記仕切板８の送風口１０に膨出部１０ａを形成したことにより、前記ファンケーシング２ａと前記仕切板８との間に空気通路を形成している。
【００１８】
また、前記仕切板８の送風口１０に形成した前記膨出部１０ａの前端を前記ファンケーシング２ａの吹出孔２ｃに合わせるには、前記送風口１０を拡大して形成することになり、前記仕切板８の前記送風口１０を拡大することにより、同送風口１０より吹き出される送風が、前記熱交換器３へ広範囲に行き渡り、熱交換効率を向上させることができる。
【００１９】
以上のように構成された空気調和機について、前記仕切板８の送風口１０に前記膨出部１０ａを形成したことにより、前記ファンケーシング２ａと前記仕切板８との間に空気通路を形成することができ、反吸気ダクト６側の前記ファンケーシング２ａの吸込孔２ｂから前記遠心ファン２への空気流入量が増加することにより、反吸気ダクト６側の前記ファンケーシング２ａへの吸気量が不足し、反吸気ダクト６側の前記遠心ファン２からの十分な風量が得られない恐れがある問題をなくすことができる。
【００２０】
【発明の効果】
以上に説明したように、本発明による空気調和機であれば、遠心ファンの回転軸方向への吸気の流れを良くして、ファンケーシングへ流入する空気の流入量を適性化し、熱交換効率を向上した空気調和機となる。
【図面の簡単な説明】
【図１】本発明の空気調和機の一実施例を示す断面図（Ａ）および概略上面図（Ｂ）である。
【図２】本発明の空気調和機の仕切板を示す斜視図である。
【図３】従来の空気調和機の一例を示す断面図（Ａ）および概略上面図（Ｂ）である。
【図４】従来の空気調和機の仕切板を示す斜視図である。
【符号の説明】
１  空気調和機本体
２  遠心ファン
２ａ  ファンケーシング
２ｂ  吸込孔
２ｃ  吹出孔
２ｄ  フランジ部
３  熱交換器
４  筐体
４ａ  熱交換器室
４ｂ  送風機室
５  フィルタ
６  吸気ダクト
７  吸込口
８  仕切板
９  吹出口
１０  送風口
１０ａ  膨出部
１０ｂ  フランジ部
１１  ファンモータ
１２  ネジ
【図１】
2004340495.tif 000003
【図２】
2004340495.tif 000004
【図３】
2004340495.tif 000005
【図４】
2004340495.tif 000006